(57)【要約】【課題】機能がデフォルト状態から設定変更されたことを容易に知ることができる画像形成装置の表示制御装置の提供。【解決手段】複数の機能を有する複合機１の表示制御装置１００は、タッチパネル５ａと、制御部４４とを備える。タッチパネル５ａは、複数の機能それぞれに対応する複数の機能ボタンと、複数の機能ボタンを所定の関連項目毎に表示するためのタブと、を有する複数の画面を表示する。制御部４４は、デフォルトの設定状態から複数の機能のうち第１機能の設定が変更された場合、第１機能に対応する第１機能ボタンを含む画面のタブが、背景とは異なる第１色で表示されるように、タッチパネル５ａによる表示動作を制御する。【選択図】図５
2009033263.tif 000002
【特許請求の範囲】
【請求項１】
複数の機能を有する画像形成装置の表示制御装置であって、
複数の前記機能それぞれに対応する複数の機能ボタンと、複数の前記機能ボタンを所定の関連項目毎に表示するためのタブと、を有する複数の画面を表示する表示部と、
デフォルトの設定状態から複数の前記機能のうち第１機能の設定が変更された場合、前記第１機能に対応する第１機能ボタンを含む画面の前記タブが、背景とは異なる第１色で表示されるように、前記表示部による表示動作を制御する制御部と、
を備える、画像形成装置の表示制御装置。
【請求項２】
前記制御部は、前記第１機能ボタンが前記第１色で表示されるように、前記表示動作を更に制御する、
請求項１に記載の画像形成装置の表示制御装置。
【請求項３】
前記タブは、複数の前記画面毎に互いに異なる位置となるように、各前記画面に表示されており、
前記第１機能の設定が変更された後に、前記第１機能を除く残りの前記機能の中から第２機能の設定が変更された場合、前記制御部は、前記第２機能に対応する第２機能ボタンを含む画面の前記タブの少なくとも一部が、前記第１色とは異なる第２色で表示されるように、前記表示部による表示動作を更に制御する、
請求項１または２に記載の画像形成装置の表示制御装置。
【請求項４】
複数の前記機能ボタンは、前記所定の関連項目毎に異なる階層に分かれて表示され、
前記第１機能ボタン及び前記第２機能ボタンが同じ階層の画面に含まれている場合、前記制御部は、前記第１機能ボタン及び前記第２機能ボタンを含む画面の前記タブが、前記第１色で表示された第１領域と前記第２色で表示された第２領域とを有するように、前記表示部による表示動作を制御する、
請求項３に記載の画像形成装置の表示制御装置。
【請求項５】
前記制御部は、前記第２機能ボタンが前記第２色で表示されるように、前記表示部による表示動作を更に制御する、
請求項３または４に記載の画像形成装置の表示制御装置。
【発明の詳細な説明】
【技術分野】
【０００１】
本発明は、画像形成装置の表示制御装置、特に、複数の機能を有する画像形成装置の表示制御装置に関する。
【背景技術】
【０００２】
近年の画像形成装置は、多くの機能を有している。画像形成装置が有する機能としては、縮小コピー機能や拡大コピー機能、両面コピー機能などが挙げられる。このような機能により、ユーザは、原稿を所望の状態にコピーすることができる。
【０００３】
ところで、画像形成装置が有する機能が多いと、その機能の設定に関する情報を一画面上に表示させることが困難であるため、近年の画像形成装置は、各機能に対応する機能ボタンを所定の関連項目毎に分類し、分類された機能ボタンを含む画面それぞれを異なる階層に分けて表示している。しかし、このような機能ボタンには、機能の種類や内容によっては、組み合わせて選択することができないものがある。組み合わせて設定することができない機能ボタンが共に選択された時、いずれか一方の機能の設定は自動的に変更される場合がある。また、ユーザが所望するコピーの内容によっては、デフォルト時から設定変更すべき機能が多くなる場合がある。これらの場合、ユーザは、どの階層の画面のどの機能を設定変更したかを把握しづらくなってしまう。
【０００４】
そこで、特許文献１では、各機能のデフォルトの設定状態と現在の設定状態との差分を表示部に一覧表示する技術が開示されている。
【特許文献１】特開２００４−３４１６９６号公報
【発明の開示】
【発明が解決しようとする課題】
【０００５】
しかしながら、特許文献１では、各機能のデフォルトの設定状態と現在の設定状態との差分の一覧を作成し、これを表示させるための領域を画面上に設ける必要がある。従って、場合によっては、この領域に本来表示されるべき機能ボタンが他の画面に表示され、結果として階層画面が多くなる恐れがある。
【０００６】
そこで、本発明は、このような一覧表示を行わずとも、機能がデフォルト状態から設定変更されたことを容易に知ることができる画像形成装置の表示制御装置を提供することを目的とする。
【課題を解決するための手段】
【０００７】
発明１に係る画像形成装置の表示制御装置は、複数の機能を有する画像形成装置の表示制御装置であって、表示部と、制御部とを備える。表示部は、複数の機能それぞれに対応する複数の機能ボタンと、複数の機能ボタンを所定の関連項目毎に表示するためのタブとを有する複数の画面を表示する。制御部は、デフォルトの設定状態から複数の機能のうち第１機能の設定が変更された場合、第１機能に対応する第１機能ボタンを含む画面のタブが、背景とは異なる第１色で表示されるように、表示部による表示動作を制御する。
【０００８】
この表示制御装置によると、デフォルトの設定状態から機能の設定変更がなされた時、その機能に対応する機能ボタンを含む画面のタブは、背景とは異なる色で表示される。従って、ユーザは、どの画面に属する機能がデフォルト状態から設定変更されたかを、表示されたタブを介して容易に知ることができる。
【０００９】
発明２に係る画像形成装置の表示制御装置は、発明１に係る画像形成装置の表示制御装置であって、制御部は、第１機能ボタンが第１色で表示されるように、表示動作を更に制御する。
【００１０】
これにより、ユーザは、どの機能がデフォルト状態から設定変更されたかを、ビジュアル的に知ることができる。従って、設定ミスにより誤ったコピーがなされることを防止することができる。
【００１１】
発明３に係る画像形成装置の表示制御装置は、発明１または２に係る画像形成装置の表示制御装置であって、タブは、複数の画面毎に互いに異なる位置となるように、各画面に表示されている。そして、第１機能の設定が変更された後に、第１機能を除く残りの機能の中から第２機能の設定が変更された場合、制御部は、第２機能に対応する第２機能ボタンを含む画面のタブの少なくとも一部が、第１色とは異なる第２色で表示されるように、表示部による表示動作を更に制御する。
【００１２】
この表示制御装置によると、デフォルトの設定状態から２以上の機能の設定変更がなされた時、その２以上の機能それぞれに対応する機能ボタンを含む画面のタブは、それぞれ背景とは異なる色で表示される。これにより、ユーザは、どの画面に属する機能がデフォルト状態から設定変更されたかを、容易に知ることができる。特に、この表示制御装置では、タブは設定変更された機能毎に異なる色で表示されるため、ユーザは、設定変更された機能の個数を、一画面に表されているタブの色の状態から判断することができる。
【００１３】
発明４に係る画像形成装置の表示制御装置は、発明３に係る画像形成装置の表示制御装置であって、複数の機能ボタンは、所定の関連項目毎に異なる階層に分かれて表示されている。そして、第１機能ボタン及び第２機能ボタンが同じ階層の画面に含まれている場合、制御部は、第１機能ボタン及び第２機能ボタンを含む画面のタブが、第１色で表示された第１領域と第２色で表示された第２領域とを有するように、表示部による表示動作を制御する。
【００１４】
この表示制御装置によると、１つの画面上で複数の機能がデフォルト状態から設定変更された場合、ユーザは、タブの色の状態に基づいて、その画面においてデフォルト状態から設定変更された機能の個数を容易に知ることができる。
【００１５】
発明５に係る画像形成装置の表示制御装置は、発明３または４に係る画像形成装置の表示制御装置であって、制御部は、第２機能ボタンが第２色で表示されるように、表示部による表示動作を更に制御する。
【００１６】
これにより、ユーザは、どの機能の設定がデフォルト状態から設定変更されたかを、ビジュアル的に知ることができる。従って、設定ミスにより誤ったコピーがなされることを防止することができる。
【発明の効果】
【００１７】
本発明に係る画像形成装置の表示制御装置によると、ユーザは、どの画面に属する機能がデフォルト状態から設定変更されたかを、容易に知ることができる。
【発明を実施するための最良の形態】
【００１８】
以下、図面を参照して、本発明に係る画像形成装置の表示制御装置について説明する。
【００１９】
（１）複合機の構成
図１は、本実施形態の一実施形態に係る画像形成装置の表示制御装置１００が採用された複合機１の外観図である。図１の複合機１は、原稿カバー３、本体部４、操作パネル５、給紙カセット６及び排出トレイ７を備えており、縮小コピーや拡大コピー、両面コピー等の複数の機能を有している。
【００２０】
本体部４の原稿カバー３と対向する部分には、原稿載置台２が設置されている。原稿カバー３は、原稿載置台２に対して開閉自在に本体部４に装着されており、原稿載置台２に載置された原稿を押さえることができる。
【００２１】
本体部４は、図２に示すように、主として、通信部４１、原稿読み取り部４２、画像形成部４３及び制御部４４を含む。
【００２２】
通信部４１は、通信ネットワークを介して接続されたＰＣ等の外部装置（図示せず）と通信を行うものであって、外部装置から画像データ等を取得することができる。
【００２３】
原稿読み取り部４２は、原稿載置台２に載置された原稿を読み取って画像データを取得するためのものであって、図示しない光学系を有している。
【００２４】
画像形成部４３は、通信部４１や原稿読み取り部４２から取得された画像データに基づいてトナー像を形成し、用紙等の記録媒体に印刷する。特に、画像形成部４３は、複合機１が有している複数の機能のうち、ユーザにより操作パネル５を介して各種機能の設定がなされた場合には、その設定に応じて画像形成動作を行う。
【００２５】
制御部４４は、通信部４１、原稿読み取り部４２、画像形成部４３及び操作パネル５と接続されており、例えば画像形成動作の制御等の、接続された各機能部の制御等を行う。特に、制御部４４は、後述する表示制御装置１００の制御部としても機能する。このような制御部４４は、図３に示すように、ＲＯＭ５１、ＲＡＭ５２及びＣＰＵ５３で構成されている。ここで、ＲＯＭ５１には、タッチパネル５ａの表示動作を制御（即ち、表示制御装置１００としての制御）する時に用いられるパネル制御プログラム５１ａや、複数の機能が設定された場合に設定された機能同士の組み合わせを判断するための組み合わせ制御プログラム５１ｂ、画像形成動作を制御する時に用いられる画像形成制御プログラム５１ｃ等が格納されている。ＣＰＵ５３は、ＲＯＭ５１内の各プログラムを実行し、ＲＡＭ５２は、ＣＰＵ５３が各プログラムの実行及び演算を行う場合のワークメモリとして機能する。尚、パネル制御プログラム５１ａを用いた表示制御装置１００としての制御については、「（２）表示制御装置の構成」で詳述する。
【００２６】
操作パネル５は、図１に示すように、本体部４において原稿載置台２の手前側部分に設けられ、タッチパネル５ａ（表示部に相当）と操作キー５ｂとを有している。タッチパネル５ａは、例えば液晶ディスプレイやマトリクススイッチ等で構成されており、各種画面をカラー表示する。ユーザは、タッチパネル５ａに直接触れることで、例えば複合機１が有する複数の機能から所望の機能の指定を行うことができる。ここで、タッチパネル５ａが表示する画面には、例えば図４及び図６に示すように、複合機１が有する複数の機能それぞれに対応する複数の機能ボタンＫ１１〜Ｋ１４，Ｋ２１〜Ｋ２４や、複数の機能ボタンＫ１１〜Ｋ１４，Ｋ２１〜Ｋ２４を所定の関連項目毎に表示するためのタブＴ１〜Ｔ５が含まれている。複数の機能ボタンＫ１１〜Ｋ１４，Ｋ２１〜Ｋ２４は、それぞれ選択可能であって、所定の関連項目毎に異なる階層に分かれて表示されている。タブＴ１〜Ｔ５は、それぞれ選択可能であって、複数の画面毎に互いに異なる位置となるように各画面に表示されている。タブＴ１〜Ｔ５が押されることで選択されると、押されたタブを含み、かつ前回表示されていた画面に含まれる機能ボタンとは異なる機能ボタンを含む画面が表示される。操作キー５ｂは、印刷の開始を指示するためのスタートキーや、各種設定等をリセットするためのリセットキー、コピー、プリンタ、スキャナ及びＦＡＸの機能を設定するための設定キー及びテンキー等を有している。
【００２７】
給紙カセット６は、用紙を収納可能であって、図１に示すように本体部４の下方に３段設けられている。
【００２８】
排出トレイ７は、本体部４の側面に側方に突出するように設けられており、画像形成動作後の記録媒体が積載される。
【００２９】
（２）表示制御装置の構成
次に、本実施形態に係る表示制御装置１００の構成について説明する。表示制御装置１００は、図２に示すように、タッチパネル５ａ及び制御部４４を備える。尚、タッチパネル５ａについては、既に説明しているため、以下では、表示制御装置１００としての制御を行う制御部４４について、具体的に説明する。尚、以下では、説明の便宜上、ユーザにより押された機能ボタンを、第１機能ボタン及び第２機能ボタンといい、第１機能ボタン及び第２機能ボタンそれぞれに対応する機能を、第１機能及び第２機能という。第１機能ボタン及び第２機能ボタン、第１機能及び第２機能は、それぞれ別のボタン及び機能であるとする。
【００３０】
はじめに、各機能の設定がデフォルト状態であるとする。この状態では、制御部４４は、各機能ボタン及びタブが同一色でタッチパネル５ａに表示されるように、タッチパネル５ａの表示動作を制御する。この場合、タッチパネル５ａには、例えば図４に示す画面ような画面が表示される。ここで、図４は、用紙選択機能ボタンＫ１１、原稿サイズ混載機能ボタンＫ１２、パンチ機能ボタンＫ１３及びステイプル機能ボタンＫ１４と、原稿／用紙仕上げタブＴ２とを含む画面Ｐ１を示している。尚、本実施形態では、デフォルト設定状態時には、図４に示すように、画面Ｐ１の背景や各機能ボタンＫ１１〜Ｋ１４及びタブＴ２は、白及び黒（グレーを含む）からなるモノクロ表示される場合を例にとる。
【００３１】
各機能の設定がデフォルトの状態において、例えばユーザにより第１機能ボタンが選択され、第１機能ボタンに対応する第１機能の設定がデフォルトの設定状態から変更された場合、制御部４４は、第１機能ボタンを含む画面のタブが背景とは異なる第１色で表示されると共に、第１機能ボタンが第１色で表示されるように、タッチパネル５ａの表示動作を制御する。これにより、タッチパネル５ａには、例えば図５に示すような画面が表示される。ここで、図５は、図４の画面Ｐ１上から第１機能ボタンとしてのパンチ機能ボタンＫ１３が選択され、かつパンチ機能の設定変更がなされた場合の画面Ｐ２を示している。図５では、パンチ機能ボタンＫ１３と画面Ｐ２のタブＴ２とが、画面Ｐ２の背景と異なる第１色で表示されている。
【００３２】
次いで、第１機能ボタンの設定変更後に、残りの機能ボタンの中から第２機能ボタンが選択され、第２機能ボタンに対応する第２機能の設定が更にデフォルトの設定状態から変更された場合、制御部４４は、第２機能ボタンを含む画面のタブの少なくとも一部が第１色とは異なる第２色で表示されると共に、第２機能ボタンが第２色で表示されるように、タッチパネル５ａの表示動作を制御する。これにより、タッチパネル５ａには、例えば図６に示すような画面が表示される。ここで、図６は、図５の画面Ｐ２上からタブＴ４が選択された後、タブＴ４を含む画面Ｐ３上から第２機能ボタンとしての拡大／縮小機能ボタンＫ２２が選択され、更に拡大／縮小機能の設定変更がなされた場合を示している。即ち、第１機能ボタンとしてのパンチ機能ボタンＫ１３及び第２機能ボタンとしての拡大／縮小機能ボタンＫ２２は、それぞれ異なる階層の画面に含まれている。この場合、図６に示すように、タブＴ２は第１色で表示され、拡大／縮小機能ボタンＫ２２及びタブＴ４は、第１色や画面Ｐ３の背景と異なる第２色で表示される。
【００３３】
また、第１機能ボタン及び第２機能ボタンが同じ階層の画面に含まれている場合、制御部４４は、第１機能ボタン及び第２機能ボタンを含む画面のタブが、第１色で表示された第１領域と、第２色で表示された第２領域とを有するように、タッチパネル５ａの表示動作を制御する。更に、制御部４４は、同じ画面にある第１機能ボタン及び第２機能ボタンを、それぞれ第１色及び第２色で表示させる。これにより、タッチパネル５ａには、図７に示すような画面が表示される。ここで、図７は、図５の画面Ｐ２上から更に用紙選択機能ボタンＫ１１が選択され、かつ用紙選択機能の設定変更がなされた場合の画面Ｐ２’を示している。図７では、画面Ｐ２’のタブＴ２は、上下に第１色の領域Ｒ１及び第２色の領域Ｒ２を有するように表示されており、パンチ機能ボタンＫ１３及び用紙選択機能ボタンＫ１１は、それぞれ第１色及び第２色で表示されている。即ち、タブＴ２は、この画面Ｐ２’上で設定変更がなされた機能の個数（具体的には、２つ）に対応するように、２色の色で表示されている。
【００３４】
尚、第１色及び第２色は、画面の背景と異なる色であればよく、特定の色に限定されない。例えば、本実施形態では、画面の背景及び機能ボタンがデフォルト時にはモノクロ表示されるため、第１色及び第２色は、白及び黒（グレーを含む）以外の色であることができる。
【００３５】
（３）表示制御装置の動作
図８は、本実施形態に係る表示制御装置１００の動作を説明するためのフロー図である。以下より、図８を用いて、表示制御装置１００の動作を具体的に説明する。はじめに、各機能の設定状態はデフォルトの設定状態であるとする。
【００３６】
ステップＳ１：表示制御装置１００の制御部４４は、例えば図４に示すように、複数の機能ボタン及びタブを含む画面がタッチパネル５ａにモノクロ表示されるように、タッチパネル５ａの表示動作を制御する。
【００３７】
ステップＳ２〜Ｓ３：ステップＳ１の状態において、ユーザにより機能ボタン（即ち、第１機能ボタン）が選択され、選択された機能ボタンに対応する機能の設定変更がなされた場合には（Ｓ２のＹＥＳ）、制御部４４は、例えば図５に示すように、選択機能ボタンとこの機能ボタンを含む画面のタブとを、背景とは異なる第１色でタッチパネル５ａに表示させる（Ｓ３）。尚、機能ボタンが選択されてもその機能ボタンに対応する機能の設定変更がなされなかった場合は（Ｓ２のＮＯ）、タッチパネル５ａには、前回表示された状態の画面（即ち図４）が続けて表示される。
【００３８】
ステップＳ４〜Ｓ５：Ｓ２で設定変更された機能の機能ボタンとは異なる他の機能ボタン（即ち、第２機能ボタン）が選択され、選択された他の機能ボタンに対応する機能の設定がデフォルト状態からなされた場合には（Ｓ４のＹＥＳ）、制御部４４は、他の機能ボタンが、Ｓ２において選択された機能ボタン（即ち、第１機能ボタン）を含む画面と同じ画面（即ち、Ｓ３の画面）上にあるか否かを判断する（Ｓ５）。尚、ステップＳ４において、他の機能ボタンが選択されても、選択された他の機能ボタンに対応する機能の設定変更がなされなかった場合（Ｓ４のＮＯ）、タッチパネル５ａには、例えば図５に示すように、前回表示された状態の画面が続けて表示される。
【００３９】
ステップＳ６：ステップＳ４における他の機能ボタン（即ち、第２機能ボタン）が、ステップＳ２において設定変更された機能の機能ボタンを含む画面と異なる画面上にある場合には（Ｓ５のＮＯ）、制御部４４は、例えば図６に示すように、ステップＳ４で選択された他の機能ボタンとこれを含む画面上のタブとを、既に表示に用いられた色（即ち、ステップＳ３の機能ボタン及びタブの色。第１色。）とは異なる他の色（即ち、第２色）で表示させる。
【００４０】
ステップＳ７〜Ｓ８：ステップＳ４における他の機能ボタン（即ち、第２機能ボタン）が、ステップＳ２において設定変更された機能の機能ボタンを含む画面と同じ画面上にある場合には（Ｓ５のＹＥＳ）、制御部４４は、この画面上のタブを、設定変更された機能の個数に応じて、複数色でタッチパネル５ａに表示させる（Ｓ７）。更に、制御部４４は、ステップＳ４における他の機能ボタンを、既に表示に用いられた色（即ち、ステップＳ３の機能ボタン及びタブの色。第１色。）とは異なる他の色（即ち、第２色）で表示させる（Ｓ８）。より具体的には、制御部４４は、他の機能ボタンを、ステップＳ７でタブを表示させた色と同じ色で表示させる。
【００４１】
ステップＳ９〜Ｓ１０：操作パネル５上のスタートボタンやリセットボタンが押されない場合には（Ｓ９のＮＯ、Ｓ１０のＮＯ）、表示制御装置１００は、ステップＳ４以降の動作を繰り返す。また、リセットボタンが押された場合には（Ｓ１０のＹＥＳ）、表示制御装置１００は、ステップＳ１以降の動作を繰り返す。即ち、タッチパネル５ａ上からなされた各種機能の設定はリセットされ、デフォルトの設定状態に戻る。この時、タッチパネル５ａに表示されていた画面もリセットされ、タッチパネル５ａには、デフォルト時のように、モノクロ表示された表示画面が表示される。また、スタートボタンが押された場合には（Ｓ９のＹＥＳ）、表示制御装置１００は一連の動作を終了する。
【００４２】
（４）効果
（Ａ）
本実施形態に係る表示制御装置１００によると、デフォルトの設定状態から第１機能の設定変更がなされた時、第１機能に対応する第１機能ボタンを含む画面のタブは、背景とは異なる色（具体的には、第１色）で表示される。従って、ユーザは、どの画面に属する機能がデフォルト状態から設定変更されたかを、表示されたタブを介して容易に知ることができる。
【００４３】
（Ｂ）
また、表示制御装置１００によると、設定変更された第１機能に対応する第１機能ボタンは、第１色で表示されるため、ユーザは、どの機能がデフォルト状態から設定変更されたかを、ビジュアル的に知ることができる。従って、設定ミスにより誤ったコピーがなされることを防止することができる。
【００４４】
（Ｃ）
また、表示制御装置１００によると、デフォルトの設定状態から２以上の機能の設定変更がなされた時、その２以上の機能それぞれに対応する機能ボタンを含む画面のタブは、それぞれ背景とは異なる色（具体的には、第１色及び第２色）で表示される。これにより、ユーザは、どの画面に属する機能がデフォルト状態から設定変更されたかを、容易に知ることができる。特に、この表示制御装置では、タブは設定変更された機能毎に異なる色で表示されるため、ユーザは、設定変更された機能の個数を、タッチパネル５ａに一画面表されているタブの色の状態から判断することができる。
【００４５】
（Ｄ）
特に、設定変更された第１機能ボタン及び第２機能ボタンが同じ階層の画面に含まれている場合、第１機能ボタン及び第２機能ボタンを含む画面のタブは、第１色で表示された第１領域と第２色で表示された第２領域とを有するように、タッチパネル５ａに表示される。そのため、ユーザは、タブの色の状態に基づいて、その画面においてデフォルト状態から設定変更された機能の個数を容易に知ることができる。
【００４６】
（Ｅ）
また、表示制御装置１００によると、設定変更された第２機能に対応する第２機能ボタンは、第２色で表示されるため、ユーザは、どの機能の設定がデフォルト状態から設定変更されたかを、ビジュアル的に知ることができる。従って、設定ミスにより誤ったコピーがなされることを防止することができる。
【００４７】
＜その他の実施形態＞
（ａ）
上記実施形態では、機能ボタンは押されることで選択され、その機能ボタンに対応する機能が設定変更される場合について説明した。しかし、本発明に係る表示制御装置は、選択された機能の内容や種類の影響により、他の機能の設定がデフォルト状態から自動的に変更された場合にも適用することができる。この場合には、選択された機能ボタンを含む画面だけではなく、自動的に設定変更された機能の機能ボタンを含む画面のタブも、背景とは異なる色で表示される。この時、各タブは、設定変更された機能の数がわかるように、互いに異なる色で表示されるとよい。これにより、上記実施形態と同様、ユーザは、どの画面に属する機能がデフォルト状態から設定変更されたかを、容易に知ることができる。また、タブだけではなく、各機能ボタン自体の色も、タブと同様、互いに異なる色で表示されるとよい。これにより、ユーザは、具体的にどの機能が設定変更されたかを、容易に知ることができる。
【００４８】
また、共に組み合わせることができない機能が２つ選択されたため、いずれか一方の機能の設定がデフォルト状態に自動的に戻った場合には、表示制御装置は、デフォルト状態に戻った機能のボタン及びこのボタンを含む画面のタブの色を、背景の色に戻すことができる。これにより、ユーザは、設定変更された機能の数を正確に知ることができる。
【００４９】
（ｂ）
図４〜図７では、設定変更された機能及びこれに対応する機能ボタンの説明を簡単にするため、２つの機能の設定変更がなされた場合について図示したが、本発明に係る表示制御装置は、２以上の機能の設定変更がなされた場合にも適用できる。例えば、３つ以上の機能の設定変更がなされた場合、これらの機能に対応する機能ボタンと、各機能ボタンを含む画面のタブとは、図９に示すように、それぞれ異なる色で表示される（具体的には、図９のタブＴ２〜Ｔ４）。特に、設定変更された機能の機能ボタンが同一画面上に複数ある場合には、これらの機能ボタンを含む画面のタブは、図１０に示すように、複数の色の領域を有するように表示されるとよい（具体的には、図１０のタブＴ２）。これにより、上記実施形態と同様、ユーザは、どの画面に属する機能がデフォルト状態から設定変更されたかを、表示されたタブを介して容易に知ることができると共に、設定変更された機能の個数を、一画面に表されているタブの色の状態から判断することができる。
【００５０】
（ｃ）
上記実施形態では、１つのタブに複数の色が表示される場合には、図７に示すように、上下に複数の色が並んで表示される場合について説明したが、これに限定されない。各タブは、そのタブを含む画面上において設定変更のなされた機能がいくつあるかがわかるように、複数の色で表示されればよい。タブの具体的な表示方法としては、図１１（ａ）に示すように、タブの左右に複数の色が並んで表示される方法や、図１１（ｂ）に示すように、タブの左右に複数の色が台形の形状に並んで表示される方法、図１１（ｃ）に示すように、タブの上下及び左右に複数の色が並んで表示される方法等が挙げられる。
【００５１】
（ｄ）
上記実施形態では、タッチパネル５ａ上の機能ボタンが直接押されることで、押された機能ボタンの機能が選択される場合について説明した。しかし、タッチパネル５ａ上の機能ボタンが直接押されるかわりに、操作キー５ｂを用いて機能が選択され、設定変更がなされてもよい。この場合であっても、タッチパネル５ａに表示された機能ボタン及びタブの色は、上記実施形態と同様、変更されるものとする。
【産業上の利用可能性】
【００５２】
本発明に係る表示制御装置は、複写機、プリンタ及びファクシミリ装置の各機種や、これらの機能に更にスキャナ機能を併せ持つ複合機等の画像形成装置において適用できる。
【図面の簡単な説明】
【００５３】
【図１】本実施形態に係る表示制御装置が採用された画像形成装置の外観図。
【図２】本実施形態に係る画像形成装置の構成を模式的に示すブロック図。
【図３】本実施形態に係る制御部の構成を模式的に示すブロック図。
【図４】デフォルト設定状態時にタッチパネルに表示される画面例。
【図５】第１機能の設定変更がなされた場合に、タッチパネル５ａに表示される画面例
【図６】第２機能の設定変更がなされた場合であって、かつ第１機能ボタンと第２機能ボタンとが異なる階層の画面上にある場合に、タッチパネルに表示される画面例。
【図７】第２機能の設定変更がなされた場合であって、かつ第１機能ボタンと第２機能ボタンとが同じ階層の画面上にある場合に、タッチパネルに表示される画面例。
【図８】本実施形態に係る表示制御装置の一連の動作を説明するためのフロー図。
【図９】その他の実施形態（ｂ）に係る画面例であって、設定変更された機能の各機能ボタンが同一画面上にない場合を示す図。
【図１０】その他の実施形態（ｂ）に係る画面例であって、設定変更された機能の各機能ボタンのうち、３つの機能ボタンが同一画面上にある場合を示す図。
【図１１】その他の実施形態（ｃ）において、タブが複数の色で表示された場合の例。
【符号の説明】
【００５４】
１  画像形成装置
５  操作パネル
５ａ  タッチパネル
５ｂ  操作キー
４４  制御部
１００  表示制御装置
Ｐ１〜Ｐ４    画面
Ｋ１１〜Ｋ１４、Ｋ２１〜Ｋ２４    機能ボタン
Ｒ１  第１領域
Ｒ２  第２領域
Ｔ１〜Ｔ５  タブ
【図１】
2009033263.tif 000003
【図２】
2009033263.tif 000004
【図３】
2009033263.tif 000005
【図４】
2009033263.tif 000006
【図５】
2009033263.tif 000007
【図６】
2009033263.tif 000008
【図７】
2009033263.tif 000009
【図８】
2009033263.tif 000010
【図９】
2009033263.tif 000011
【図１０】
2009033263.tif 000012
【図１１】
2009033263.tif 000013